(57)【特許請求の範囲】
【請求項１】
スノーボード（Ａ）を少なくとも一巻以上巻回して覆うことができる幅を有する伸縮性及び吸水性のある素材からなるシート（２）と、
スノーボード（Ａ）のノーズ部分を開口部（６）から挿入して収納し得る形状を保持した袋状であって開口部（６）側が前記シート（２）の一方端部に接続されたノーズキャップ（３）と、
スノーボード（Ａ）のテール部分を開口部（７）から挿入して収納し得る形状を保持した袋状であって開口部（７）側が前記シート（２）の他方端部に接続されたテールキャップ（４）と、
前記シート（２）をスノーボード（Ａ）を巻回して覆った状態で固定するために前記シート（２）の側辺部に設けられた係止部材（５）とからなることを特徴とするスノーボード用カバー（１）。
【請求項２】
一対のスキー板（Ｂ）を少なくとも一巻以上巻回して覆うことができる幅を有する伸縮性及び吸水性のある素材からなるシート（１２）と、
スキー板（Ｂ）のトップ部分を開口部から挿入して収納し得る形状を保持した袋状であって前記シート（１２）の両面にそれぞれの開口部が面した状態で前記シートの一方端部の同一部分に接続された２つのトップキャップ（１３ａ、１３ｂ）と、
スキー板（Ｂ）のテール部分を開口部から挿入して収納し得る形状を保持した袋状であって前記シート（１２）の両面にそれぞれの開口部が面した状態で前記シートの他方端部の同一部分に接続された２つのテールキャップ（１４ａ、１４ｂ）と、
前記シート（１２）をスキー板（Ｂ）を巻回して覆った状態で固定するために前記シート（１２）の側辺部に設けられた係止部材（１５）とからなることを特徴とするスキー板用カバー（１１）。
【発明の詳細な説明】
【技術分野】
【０００１】
この発明は、冬期スポーツとして広く浸透しているスノーボードやスキーの主要用具たるスノーボードやスキー板を保管、運搬する際に用いるスノーボード又はスキー板用カバーに関する。
【背景技術】
【０００２】
スノーボードやスキー板をスキー場への行き帰りに持ち運んだりする際、スノーボードやスキー板が壁や床にぶつかってスキー板やスノーボードが破損したり、スノーボードやスキー板のエッジ部分が人や物にぶつかってそれらを傷つけることを防ぐために、又は、スノーボードやスキー板を荷物として運搬したり保管する際にスノーボードやスキー板表面が汚れたり破損したりすることを防ぐため、スノーボードやスキー板をカバーやケースに収納して運搬したり保管することが行われている。
【０００３】
これらスノーボードやスキー板用のカバーやケースとして市販されているものは、通常はスノーボードやスキー板の外形に適合してその全体を覆う筒状や袋状のカバー本体を有し、また、使用後のスノーボード等に付着した雪や雪が溶解した水分が輸送時に外部に漏れて他のものに付着することがないように全体がビニール等の防水材料で形成されている（例えば、特許文献１参照）。
【０００４】
ここで、スノーボードやスキー板用のカバーやケースはそのスノーボードやスキー板の大きさと形状にジャストフィットするものを選択して購入しなければならないが、カバー本体を長尺のスノーボードを収納できる大きさに形成し、それよりも短尺のスノーボードを収納したとき、カバー本体の余剰部分を折り畳んだ状態に固定する固定用バンドを備えるようにした汎用のスノーボード用カバー（例えば、特許文献２参照）や、スノーボードのトップとテールをそれぞれ別体のトップケースとテールケースに収納して、それぞれのケースをファスニング部により連結し、種々の全長のスノーボードに適用させたスノーボード用ケースもある（例えば、特許文献３参照）。
【０００５】
また、袋状のカバーは出し入れに時間がかかるため、１枚のシートから成り、スキーの幅より広い幅をもつカバー本体と、カバー本体の先端に設けられた２つのトップベンドカバー部分と、カバー本体の後端にテールカバー部分を設け、スキーをカバー本体に固定する固定具を設け、袋状のカバーに入れるのに比べて簡単にスキー板の運搬の準備ができるようにしたスキーカバーも提案されている（例えば、特許文献４参照）。
【特許文献１】実開平２−１３１４８２号公報
【特許文献２】実開平６−５５６８２号公報
【特許文献３】特開平６−２１００４３号公報
【特許文献４】実開昭６３−１１１１７５号公報
【発明の開示】
【発明が解決しようとする課題】
【０００６】
ところで、特許文献１や特許文献２のような筒状や袋状になり、スノーボードやスキー板全体を覆うカバーの場合、スキー板やスノーボードを挿入する際に、スキー板やスノーボードに固定されたビンディングがケース内壁にひっかかったりしてケースへのスムーズな挿入を邪魔することがある。
【０００７】
また、特許文献１のものではそのスキー板の大きさに適合したサイズのカバーを用意しなければならず、特許文献２のものでは、カバーの寸法より小さなスノーボードを収納した際は、カバーの余剰部分を折り畳んで固定しなければならず手間が増えることになる。
【０００８】
特許文献３や特許文献４のようなカバーやケースであれば、スノーボードやスキー板のトップベンド部分とテール部分を別々にカバーやケースに挿入するので、ビンディング部分が挿入の邪魔になることは無く、種々のサイズのスノーボードやスキー板に適用することもできるが、収納状態でビンディング部分がカバーやケースの外部に露出していることになり、運搬や保管の際に露出したビンディングが他の物に当たって破損したり他の物を傷つけたり、或いは人体に触れて怪我をさせるおそれがあり、カバーやケースとしての役目が完全ではなかった。
【０００９】
特許文献２のスノーボード用のカバーは、スノーボード全体を比較的剛性を有する材質で覆っているので、他の物にぶつかった際のスノーボードや他の物の保護の観点からは望ましいのであるが、スノーボードを取り出した後のカバーが嵩高いという問題もあった。
【００１０】
また、使用後のスノーボードやスキー板を収納する際、本来はスノーボードやスキー板に付着した雪を拭いたりして取り去ってケースやカバーに収納しなければ、これら付着した雪が溶けて水分となり、鉄製のエッジ部分を錆びさせるおそれがあるが、時間に追われて十分に雪を落とさずにケースやカバーに入れることがあり、特に、使用後のスノーボードやスキー板をスキー場で雪を落とさずに収納したままの状態で、シーズンオフに物置に保管してしまうこともある。
【００１１】
特許文献１のようなビニールカバーの場合、スキー板に付着した雪が溶けた水分が外部に放出されず、スキー板のエッジを錆びさせるおそれがあり、特許文献２のような合成繊維製の布製の場合、ビニールほどではないが吸湿性に劣り、やはり挿入前に十分に付着した雪を落とさなければエッジ部分の錆びは完全に防ぐことができない。
【００１２】
特許文献３は、スノーボードに当接する部分が弾性を有する布で、表面側が防水処理されたナイロン繊維であり、このような構成のケースやカバーは、布がスノーボード表面の水分をある程度吸収し、外部の防水処理が雪に接した場合の雪のケースやカバー内部への染み込みを防止しているのであるが、表面側の防水処理のため一旦内部に入った水分が内部で蒸れることになり、十分に手入れせずに収納したスノーボードやスキー板のエッジの錆びの問題が以前としてある。
【００１３】
特許文献４は、カバー本体が吸湿性繊維からなり（特許文献４の請求項２参照）、この吸湿性繊維がエッジに付着した水分を吸収してエッジの酸化による腐食を防止するが、このスキーカバーの場合、トップベンドカバー部分やテールカバー部分もカバー本体と同じ材質で作られており、運搬の際に一番ぶつけやすいスキー板のトップとテールの保護が不十分となるという問題がある。
【００１４】
また、この特許文献４のように、スキー板の中央部が完全に覆われていないと、カバー本体が少しずれたたけでスキー板のエッジが露出してしまい、他の物品に触れて傷つけたり、人体に触れて怪我を引き起こすという問題もある。
【００１５】
この発明は上記のような問題点を解決し、種々のサイズのスノーボードやスキー板に適用できると共にその収納作業が簡単にでき、また、錆の発生原因となるスノーボードやスキー板に付着した雪や水分を吸収することができ、更に、ビンディングやエッジ部分を完全に覆うことで、スノーボードやスキー板、又は他の物品の破損や人体が怪我をするおそれがないスノーボードやスキー板用のカバーを提供することを課題とする。
【課題を解決するための手段】
【００１６】
上記のような課題を解決するため、請求項１の発明は、スノーボードを少なくとも一巻以上巻回して覆うことができる幅を有する伸縮性及び吸水性のある素材からなるシートと、スノーボードのノーズ部分を開口部から挿入して収納し得る形状を保持した袋状であって開口部側が前記シートの一方端部に接続されたノーズキャップと、スノーボードのテール部分を開口部から挿入して収納し得る形状を保持した袋状であって開口部側が前記シートの他方端部に接続されたテールキャップと、前記シートをスノーボードを巻回して覆った状態で固定するために前記シートの側辺部に設けられた係止部材とからなるスノーボード用カバーである。
【００１７】
請求項２の発明は、一対のスキー板を少なくとも一巻以上巻回して覆うことができる幅を有する伸縮性及び吸水性のある素材からなるシートと、スキー板のトップ部分を開口部から挿入して収納し得る形状を保持した袋状であって前記シートの両面にそれぞれの開口部が面した状態で前記シートの一方端部の同一部分に接続された２つのトップキャップと、スキー板のテール部分を開口部から挿入して収納し得る形状を保持した袋状であって前記シートの両面にそれぞれの開口部が面した状態で前記シートの他方端部の同一部分に接続された２つのテールキャップと、前記シートをスキー板を巻回して覆った状態で固定するために前記シートの側辺部に設けられた係止部材とからなるスキー板用カバーである。
【００１８】
この発明において、伸縮性及び吸水性のある素材からなるシートとは、例えば代表的にはタオル地等に私用されるニットの布製品等があげられるが、これに限定されることなく、伸縮性及び吸水性のある素材であれば、天然、合成樹脂、織物等に限定されず、天然又は合成のセーム皮等であっても良い。
【００１９】
ノーズキャップ、トップキャップ、又はテールキャップの材質となる、ノーズ部分、トップ部分、又はテール部分を開口部から挿入して収納し得る形状を保持した袋状のものとは、比較的硬質材料で保形性のある材料であれば特に限定されるものではなく、例えば、これらウインタースポーツの用具ケースとして一般的に使用されるウレタン樹脂等があげられる。
【００２０】
前記シートをスノーボードを巻回して覆った状態で固定するために前記シートの側辺部に設けられた係止部材とは、例えば面ファスナー、紐等が挙げられる。
【発明の効果】
【００２１】
請求項１の発明によると、スノーボードにシートを巻回することでスノーボード全体を覆うようにしているので、スノーボードの収納に際してビンディング等が邪魔になることがなく、容易に収納することができると共に、ビンディングやデッキ部分が表面に露出することがなく、スノーボードや他の物品の破損や人体への怪我が無くなる。
【００２２】
また、巻回によりスノーボードを覆うので、スノーボードの幅寸法の違いは問題にならないと共に、シートは伸縮性を有しているため、寸法の違うスノーボードについても、例えば寸法の大きなスノーボードについてはシート部分がスノーボードの長さ方向に伸びることで対応し、寸法の小さなスノーボードについてはシート部分を巻回方向に引っ張りながら巻くことでシートのスノーボードの長さ方向への余り分をシートの幅方向へのずれにより吸収したりして、同じスノーボード用カバーで種々の寸法のスノーボードに適用し得る汎用性が生じる。
【００２３】
また、シートは吸水性を有しており、かつシートは巻回によりスノーボード表面に密着するので、雪が付着したままのスノーボードを収納しても、シートが雪が溶けた水分を吸水し、エッジ部分の錆びの原因となる水を排除し、更に、外皮が保水部材で覆われていないので、自然乾燥により水分がシート外面から蒸発するので、そのままスノーボードを保管しても問題が生じない。
【００２４】
また、スノーボードのノーズ部分とテール部分は、シートとは別体となる形状を保持した袋状のキャップで覆うので、特に運搬時にぶつかりやすいスノーボードの端部のノーズ部分及びテール部分の損傷や他の物品への加害が軽減される。
【００２５】
また、スノーボードを取り出した後のカバーは、形状を保持した袋状のノーズキャップ及びテールキャップ以外は柔軟性のあるシートのみであるので、小さく折り畳んでバッグ等にしまうことができる。
【００２６】
また、シート部分は織布等を使用できるので、このシート上に多彩な色彩を用いた種々のデザインを描くことができるので、他人のカバーとの差別化が容易となると共に、ノーズキャップやテールキャップとシートを取り外し自在としておけば、流行に応じてシート部分を新しいデザインに取り替えることで長期間使用したり、或いはＴＰＯに応じたシートデザインの使い分けをすることができる。
【００２７】
請求項２の発明によれば、上記請求項１の発明と同様の作用により、一対のスキー板にシートを巻回することでスキー板全体を覆うようにしているので、収納に際してビンディング等が邪魔になることがなく、容易に収納することができ、ビンディングやデッキ部分が表面に露出することがなく、スキー板や他の物品の破損や人体への怪我が無くなり、また、シートの伸縮性により種々の寸法のスキー板に適用し得る汎用性が生じ、更にシートの吸水性によりエッジ部分の錆びの原因となる水を排除し、そのままスキー板を保管しても問題が生じない。
【００２８】
また、特に運搬時にぶつかりやすいスキー板のトップ部分とテール部分は、シートとは別体となる形状を保持した袋状のキャップで覆われているのでスキー板の損傷や他の物品への加害が軽減されたり、スキー板を取り出した後のカバーは小さく折り畳んでバッグ等にしまうことができたり、シート部分は織布等を使用できるので多彩な色彩を用いた種々のデザインを描くことができる効果についても請求項１の効果と同様である。
【００２９】
また、２つのトップキャップはシートの両面にそれぞれの開口部が面した状態で前記シートの一方端部の同一部分に接続され、２つのテールキャップはシートの両面にそれぞれの開口部が面した状態で前記シートの他方端部の同一部分に接続されているため、一対のスキー板は、それぞれのスキー板をシートの両面側からトップキャップ及びテールキャップに入れることになり、収納後、それぞれのスキー板の間にはシートを介する状態となり、２つのスキー板のエッジ同士が直接接触して傷ついたりすることがないと共に、シートを巻回することにより２つのスキー板を同時に覆って固定することができる利点もある。
【発明を実施するための最良の形態】
【００３０】
図１（ａ）（ｂ）は、この発明のスノーボード用カバー１を示すもので、スノーボード用カバー１は、伸縮性及び吸水性のあるニットからなる八角形となったシート２と、前記シート２の一方端部に接続されウレタン樹脂からなるノーズキャップ３と、ノーズキャップ３と同じ材質からなるテールキャップ４と、シート２の一方の側辺に設けられた２つの係止部材５とからなる。
【００３１】
ノーズキャップ３及びテールキャップ４は、それぞれスノーボードのノーズとテールの形状に合わせた略半円形状で、汎用性を持たすために若干大きめに形成してあり、ノーズキャップ３の開口部６及びテールキャップ４の開口部７は、それぞれシート２の一方面側に面しており、また、ノーズキャップ３及びテールキャップ４の半円形状となった最外縁部には、ＰＥ製のクッション材８が取り付けられている。
【００３２】
係止部材５は、帯状となったゴム式の面ファスナーが用いられ、面ファスナーとしては一般的に用いられているものであれば良いが、シート２の表面に着脱自在なものであれば、シート２の任意の部分で固定することができ、スノーボードの大きさや形状にかかわらず使用することができる。なお、係止部材５は図示のような帯状のゴム式の面ファスナに限定されず、例えば、シート２の一方側辺付近の表面に接着した面ファスナーとしたり、シート２に固定された紐として、結んで固定するようなものを用いることもできる。
【００３３】
なお、この発明のスノーボード用カバーは、図１の実施形態のものに限定されることは無く、この発明の目的の範囲内で適宜設計変更して実施できることは言うまでもなく、例えばシート２の形状も図示の八角形に限定されず、長方形、円形、多角形等を選択することができ、材質もニットに限定されず、天然又は合成セーム皮等を使用でき、要するに、スノーボードを少なくとも一巻以上巻回して覆うことができる幅を有する伸縮性及び吸水性のある素材からなるシートであれば良い。
【００３４】
また、シート２、ノーズキャップ３、及びテールキャップ４の表面の色彩等についても特に限定されるものではなく、適宜デザインを描くこともできるし、ノーズキャップ３やテールキャップ４とシート２を取り外し自在としておけば、流行や破損具合に応じてシート２部分を新しいものに取り替えることもできる。
【００３５】
このスノーボード用カバー１にスノーボードを収納するには、まず、スノーボードのノーズ部分をシート２の一方面側からノーズキャップ３の開口部６に挿入して嵌め込み、続けて、スノーボードのテール部分をテールキャップ４の開口部７に挿入して嵌め込む。
【００３６】
この際、スノーボードの長さ方向寸法が図１（ａ）のスノーボード用カバー１の展開状態の平面図で示したノーズキャップ３端部とテールキャップ４端部の寸法より大きい場合は、伸縮性のあるシート２が伸びてスノーボードの寸法に合わせることになり、逆にスノーボードの長さ方向寸法が短ければ、シート２に皺を生じさせることで寸法を合わせる。
【００３７】
次に、スノーボードのデッキ上（図示せず）に、シート２の係止部材５を有しない他方側辺を重ね、更に、その上にシート２の係止部材５を有する一方側面を重ねるようにしてシート２を巻回してゆく。
【００３８】
この際、前述したスノーボードの長さ方向寸法が短くて、シート２に皺を生じさせている場合は、シート２を巻回方向に引っ張りながら巻くことでシート２のスノーボードの長さ方向への余り分をシート２の幅方向へのずれにより吸収する。
【００３９】
図１（ｂ）は、スノーボードＡを収納後のスノーボード用カバー１を示すもので、スノーボードＡは、そのノーズ部分及びテール部分を比較的剛性のある袋状のノーズキャップ３及びテールキャップ４で覆われており、ビンディング部分等を含む他の部分は、伸縮性及び吸水性のあるシート２で覆われて係止部材５となる面ファスナーのシート２への接着により固定されている。
【００４０】
そのため、スノーボードＡは外部に露出する部分が無く、運搬に際して他の物品や人体に当たってスノーボードＡが傷ついたり他の物品や人体を傷つけたりすることがなく、また、特に他の物や人にぶつけやすいノーズキャップ３とテールキャップ４の先端部は、ＰＥ製のクッション材で覆われており、スノーボードＡや他の物への損傷及び人体を傷つける等の事故を軽減する。
【００４１】
また、スノーボードＡの表面に付着した雪が溶けた水分は、吸水性のあるシート２により吸水され、そのままシート２の表面から蒸発するので、使用直後のスノーボードＡをそのまま収納しても、エッジが水分により錆びてしまうといったことがなくなる。
【００４２】
図２（ａ）（ｂ）（ｃ）は、この発明のスキー板用カバー１１を示すもので、このスキー板用カバー１１は、伸縮性及び吸水性のあるニットからなる八角形となったシート１２と、前記シート１２の一方端部に接続されウレタン樹脂からなる２つのトップキャップ１３ａ、１３ｂと、トップキャップ１３と同じ材質からなる２つのテールキャップ１４ａ、１４ｂと、シート１２の一方の側辺に設けられた帯状となった２つの係止部材１５とからなる。
【００４３】
この実施形態のスキー板用カバー１１におけるシート１２や係止部材１５の材質及び機能は、図１におけるシート２や係止部材５の材質及び機能と同様であるので説明を省略する。また、各構成部材の材質や形状が図示の物に限定されず、この発明の目的の範囲内で適宜設計変更して実施できる点も図１におけるスノーボード用シート１と同様である。
【００４４】
トップキャップ１３ａ、１３ｂやテールキャップ１４ａ、１４ｂの形状は、それぞれスキー板のトップとテールの形状に合わせて汎用性を持たすために若干大きめに形成してあり、トップキャップ１３ａの開口部１６ａはシート１２の表面に面し、対となったトップキャップ１３ｂの開口部（図示されず）はシート１２の裏面に面しており、同様に、テールキャップ１４ａの開口部１７ａはシート１２の表面に面し、対となったテールキャップ１４ｂの開口部（図示されず）はシート１２の裏面に面するようになっている。
【００４５】
また、トップキャップ１３ａ、１３ｂやテールキャップ１４ａ、１４ｂの最外縁部には、ＰＥ製のクッション材１８が取り付けられている。
【００４６】
このスキー板用カバー１１に一対のスキー板を収納するには、まず、１本のスキー板のトップ部分をシート１２の一方面側からトップキャップ１３ａの開口部１６ａに挿入して嵌め込み、続けて、スキー板のテール部分をテールキャップ１４ａの開口部１７ａに挿入して嵌め込む。
【００４７】
次にシート１２を裏返す等してシート１２の他方面側から他の一本のスキー板のトップ部分をトップキャップ１３ｂの開口部に挿入して嵌め込み、続けてスキー板のテール部分をテールキャップ１４ｂの開口部に挿入して嵌め込む。
【００４８】
この際、スキー板の長さ方向寸法が図２（ａ）のスキー板用カバー１１の展開状態の平面図で示したトップキャップ１３ａ端部とテールキャップ１４ａ端部の寸法より大きい場合は、伸縮性のあるシート１２が伸びてスキー板の寸法に合わせることになり、逆にスキー板の長さ方向寸法が短ければ、シート１２に皺を生じさせることで寸法を合わせる。
【００４９】
次に、シート１２の表裏面にあるスキー板のいずれかに（どちらでも良い）、シート１２の係止部材１５を有しない他方側辺を重ね、更に、シート１２の係止部材１５を有する一方側面を巻回してゆくが、その方向は、先に重ねたシート１２の他方側辺と同じ方向に巻回していってもよいし、逆方向に巻回していってもよく、要するに２本のスキー板全体を覆うように巻回していけば良い。
【００５０】
この際、前述したスキー板の長さ方向寸法が短くて、シート１２に皺を生じさせている場合は、シート１２を巻回方向に引っ張りながら巻くことでシート１２のスキー板の長さ方向への余り分をシート１２の幅方向へのずれにより吸収する。
【００５１】
図２（ｂ）（ｃ）は、スキー板Ｂを収納後のスキー板用カバー１１を示すもので、２本のスキー板Ｂは、そのトップ部分及びテール部分を比較的剛性のある袋状のトップキャップ１３ａ、１３ｂ及びテールキャップ１４ａ、１４ｂで覆われており、ビンディング部分等を含む他の部分は、伸縮性及び吸水性のあるシート１２で覆われて係止部材１５となる面ファスナーのシート１２への接着により固定されている。
【００５２】
そのため、スキー板Ｂは外部に露出する部分が無く、運搬に際して他の物品や人体に当たってスキー板Ｂが傷ついたり他の物品や人体を傷つけたりすることがなく、また、特に他の物や人にぶつけやすいトップキャップ１３ａ、１３ｂとテールキャップ１４ａ、１４ｂの先端部は、ＰＥ製のクッション材１８で覆われており、スキー板Ｂや他の物への損傷及び人体を傷つける等の事故を軽減すると共に、２本のスキー板Ｂは直接接触せずに間にシート１２を介して収納されているので、スキー板のエッジ同士がぶつかって傷つくといったことがない。
【００５３】
また、スキー板Ｂの表面に付着した雪が溶けた水分は、吸水性のあるシート１２により吸水され、そのままシート１２の表面から蒸発するので、使用直後のスキー板Ｂをそのまま収納しても、エッジが水分により錆びてしまうといったことがなくなる。
【図面の簡単な説明】
【００５４】
【図１】この発明のスノーボード用カバーを示すもので、（ａ）は展開状態の平面図、（ｂ）はスノーボードを収納した状態の平面図である。
【図２】この発明のスキー板用カバーを示すもので、（ａ）は展開状態の平面図、（ｂ）はスキー板を収納した状態の平面図、（ｃ）はスキー板を収納した状態の斜視図である。
【符号の説明】
【００５５】
１  スノーボード用カバー
２  シート
３  ノーズキャップ
４  テールキャップ
５  係止部材
６、７  開口部
８  クッション材
Ａ  スノーボード
１１  スキー板用カバー
１２  シート
１３ａ、１３ｂ  トップキャップ
１４ａ、１４ｂ  テールキャップ
１５  係止部材
１６ａ、１７ａ  開口部
１８  クッション材
Ｂ  スキー板
【図１】
0004562743.tif 000002
【図２】
0004562743.tif 000003